(57)【特許請求の範囲】
【請求項１】
建物の出隅部に立設された縦材の出隅を構成する略直角な２面を覆う略直角に連結されている第一外壁板と第二外壁板とからなる出隅用外壁パネルであって、前記第一外壁板と第二外壁板の裏面には、対峙する縦材に設けられた突起に係止する穴が設けられ、この穴は、下部に設けられた大きな挿入部と、上部に設けられた小さな係止部と、この挿入部と係止部とをなだらかに結ぶガイド部とからなり、この挿入部の横方向の中心が係止部の横方向の中心より出隅部の角から遠い位置にあることを特徴とする出隅用外壁パネル。
【請求項２】
建物の出隅部に立設された縦材の出隅を構成する略直角な２面を覆う略直角に連結されている第一外壁板と第二外壁板とからなる出隅用外壁パネルであって、前記第一外壁板と第二外壁板は、外壁面材と、この外壁面材の裏面に取り付けられた金属板とからなり、この金属板には、対峙する縦材に設けられた突起に係止される通孔が設けられ、この通孔は、下部に設けられた大きな挿入部と、上部に設けられた小さな係止部と、この挿入部と係止部とをなだらかに結ぶガイド部とからなり、この挿入部の横方向の中心が係止部の横方向の中心より出隅部の角から遠い位置にあり、前記外壁面材には、金属板の通孔に重なる位置に穴が設けられていることを特徴とする出隅用外壁パネル。
【請求項３】
前記金属板の角と反対側の縁部には、建物の構造材に固定するための通孔が設けられていることを特徴とする請求項２記載の出隅用外壁パネル。
【請求項４】
前記突起が、基部と、基部より径の大きな頭部とからなり、前記係止部がこの頭部が抜けない大きさになされていることを特徴とする請求項１〜３のいずれかに記載の出隅用外壁パネル。
【発明の詳細な説明】
【０００１】
【発明の属する技術分野】
本発明は、出隅用外壁パネルに関する。
【０００２】
【従来の技術】
建物の外壁には出隅部分が必ずある。
そして、この出隅部分の角では、外壁面材が略直角に接合している。
このように、外壁面材をこの角で接合していると、外壁が夏冬の温度変化によって膨張・収縮し、この出隅部分で押し合ったり、引き合う結果、この部分に亀裂等が発生し易く、この亀裂が発生すると雨水がこの出隅部分から浸入するという問題が発生する。
【０００３】
この問題を軽減するために、特公平７−１１９５１４号公報に記載あるように、予め、第一外壁板と第二外壁板とを略直角に強固に連結した出隅用外壁パネルを製造し、この出隅用外壁パネルを出隅部分に取り付けている。
一方、外壁パネルを建物に取り付ける取付方法としては、種々知られているが、この中でも、特公平６−７８６５８号公報に記載されている壁パネルの取付方法が簡単に外壁パネルを取り付けることができるので、多く採用されている。
【０００４】
この公報に記載されている壁パネルの取付方法は、柱や間柱等の建物の縦材に突起を設け、外壁パネルの裏面に設けられている支持部材に、穴を設けていて、外壁パネルを持って屋外側から柱や間柱等の縦材に押し当て、支持部材の穴の中に柱や間柱等の縦材に設けられている突起を入れて、外壁パネルを柱や間柱等の縦材に係止させた後に、外壁パネルを建物にビス等で固定するのである。
【０００５】
更に詳細に説明すると、この外壁パネルの穴は、下部に設けられた大きな挿入部と、この挿入部の真上に設けられた小さな突起がやっと入ることのできる大きさの係止部とからなっていて、突起を挿入部に挿入した後に、外壁パネルを下方向に移動させると、突起が係止部に移動し、この突起が小さな係止部に係止され、外壁パネルが移動しないように係止され、その後、この外壁パネルを建物にビス等で固定する。
【０００６】
このように、外壁パネルに設けられている穴が大きな挿入部と小さな係止部とからなるので、外壁パネルを柱等の縦材に係止し易く、しかも、上記のように、外壁パネルを係止させているので、外壁パネルを建物にビス等で固定し易いのである。
【０００７】
【発明が解決しようとする課題】
しかし、上記特公平７−１１９５１４号公報に記載ある出隅用外壁パネルを取り付けようとすると、出隅部の内部には、柱等があって狭く、屋内側からは出隅用外壁パネルを取り付け難い。
従って、外壁パネルを屋外側から容易に取り付けることができる上記特公平６−７８６５８号公報に記載されている方法で出隅用外壁パネルを取り付けようと試みたが、次に示すように、良好に取り付けることができなかった。
【０００８】
即ち、出隅部分ある柱等の縦材の出隅を構成する略直角な２面に突起を設け、略直角に連結されている第一外壁板と第二外壁板とからなる出隅用外壁パネルの、第一外壁板と第二外壁板の裏面にそれぞれ、この突起に対峙する位置に挿入部と係止部とからなる穴を設けていて、出隅用外壁パネルを出隅部に近づけてこの出隅用外壁パネルの挿入部の中に縦材の突起を挿入しようとしたが、挿入部の中に突起を良好に挿入することができなかった。
【０００９】
この理由は、通常の外壁パネルは、突起の突出方向から出隅用外壁パネルの挿入部を近づけることができ、その結果、挿入部の中に突起を簡単に挿入できるのであるが、出隅用外壁パネルは、第一外壁板と第二外壁板が略直角に連結されているので、一方の外壁板の挿入部を縦材の突起の突出方向から近づけようとするると、他方の外壁板の挿入部は縦材の突起の横方向から近づき、その結果、この他方の外壁パネルの挿入部の中に突起を挿入することができない。
【００１０】
又、第一外壁板と第二外壁板を斜め方向、例えば、外壁板の延長線から略４５°傾いた方向から近づけて、突起の突起方向より若干上の両方の位置まで挿入部を移動させ、この突起を挿入部の中に挿入しようとしても、この突起の突起方向より若干上にある両方の位置間の距離は両方の突起間の距離より長いために、突起間の距離と略等しい両方の挿入部を同時に突起の突出方向の若干上まで近づけることができず、その結果、挿入部の中に突起を挿入することができない。
【００１１】
そこで、本発明の目的は、第一外壁板と第二外壁板が略直角に連結されていても、この第一外壁板と第二外壁板に設けられている挿入部に建物の柱や間柱等の縦材に設けられている突起を簡単に挿入することのできる出隅用外壁パネルを提供することである。
【００１２】
【課題を解決するための手段】
本発明は上記目的を達成するためになしたものであって、請求項１記載の発明は、建物の出隅部に立設された縦材の出隅を構成する略直角な２面を覆う略直角に連結されている第一外壁板と第二外壁板とからなる出隅用外壁パネルであって、前記第一外壁板と第二外壁板の裏面には、対峙する縦材に設けられた突起に係止する穴が設けられ、この穴は、下部に設けられた大きな挿入部と、上部に設けられた小さな係止部と、この挿入部と係止部とをなだらかに結ぶガイド部とからなり、この挿入部の横方向の中心が係止部の横方向の中心より出隅部の角から遠い位置にあるものである。
【００１３】
請求項２記載の発明は、建物の出隅部に立設された縦材の出隅を構成する略直角な２面を覆う略直角に連結されている第一外壁板と第二外壁板とからなる出隅用外壁パネルであって、前記第一外壁板と第二外壁板は、外壁面材と、この外壁面材の裏面に取り付けられた金属板とからなり、この金属板には、対峙する縦材に設けられた突起に係止される通孔が設けられ、この通孔は、下部に設けられた大きな挿入部と、上部に設けられた小さな係止部と、この挿入部と係止部とをなだらかに結ぶガイド部とからなり、この挿入部の横方向の中心が係止部の横方向の中心より出隅部の角から遠い位置にあり、前記外壁面材には、金属板の通孔に重なる位置に穴が設けられているものである。
【００１４】
請求項３記載の発明は、請求項２記載の発明に係り、前記金属板の角と反対側の縁部には、建物の構造材に固定するための通孔が設けられているものである。
【００１５】
請求項４記載の発明は、請求項１〜３のいずれかに記載の発明に係り、前記突起が、基部と、基部より径の大きな頭部とからなり、前記係止部がこの頭部が抜けない大きさになされているものである。
【００１６】
請求項１記載の発明における第一外壁板と第二外壁板と、請求項２記載の発明における外壁面材には、それぞれ穴が設けられているが、この穴とは、反対側まで貫通してない窪んだ場所のことをいう。
又、請求項２記載の発明では、第一外壁板と第二外壁板は、外壁面材とこの外壁面材の裏面に取り付けられた金属板とからなるが、この金属板は外壁面材の裏面の全面に取り付けられたものでもよいし、一部に取り付けられたものでもよい。そして、この金属板には、通孔が設けられているが、この通孔とは、反対側まで貫通している孔のことをいう。
【００１７】
本発明における略直角に連結されている第一外壁板と第二外壁板とからなる出隅用外壁パネルとは、第一外壁板と第二外壁板とが略直角になって連結されていればよいのであって、第一外壁板と第二外壁板とが直接連結された外壁パネルでもよいし、この第一外壁板と第二外壁板との間に第三の外壁板が介在して連結された外壁パネルであってもよい。
【００１８】
（作用）
請求項１記載の発明では、建物の出隅部に立設された縦材の出隅を構成する略直角な２面を覆う略直角に連結されている第一外壁板と第二外壁板とからなる出隅用外壁パネルであって、前記第一外壁板と第二外壁板の裏面には、対峙する縦材に設けられた突起に係止する穴が設けられ、この穴は、下部に設けられた大きな挿入部と、上部に設けられた小さな係止部と、この挿入部と係止部とをなだらかに結ぶガイド部とからなり、この挿入部の横方向の中心が係止部の横方向の中心より出隅部の角から遠い位置にあるので、第一外壁板の挿入部の中心と第二外壁板の挿入部の中心の間の距離は、第一外壁板の係止部の中心と第二外壁板の係止部の中心の間の距離より長い。
【００１９】
そして、第一外壁パネルや第二外壁パネルに設けられている穴の係止部は建物の縦材の突起に対峙する位置にある。
従って、第一外壁板に設けられている挿入部の中心と第二外壁板に設けられている挿入部の中心の距離は、第一外壁板の係止部に対峙する縦材の突起と第二外壁板の係止部に対峙する縦材の突起の間の距離より長い。
【００２０】
このようになっているので、第一外壁板と第二外壁板を縦材に屋外の斜め方向例えば外壁板の延長線から略４５°傾いた方向から近づけて、第一外壁パネルの挿入部と第二外壁パネルの挿入部を、それぞれ対峙する突起の突起方向より若干上の位置まで移動させることができる。
そして、この第一外壁板と第二外壁板を進めると、両方の突起がこの両方の大きな挿入部の中に次第に入って行き、係止部の上方まで進む。
【００２１】
次に、出隅用外壁パネルを下方に移動させると、対峙する突起がそれぞれ第一外壁板と第二外壁パネルのガイド部に導かれて、突起が小さな係止部の中に入って行き、出隅用外壁パネルが係止される。
このように、請求項１記載の出隅用外壁パネルを屋外から簡単に建物の縦材に係止させることができる。
【００２２】
請求項２記載の発明では、建物の出隅部に立設された縦材の出隅を構成する略直角な２面を覆う略直角に連結されている第一外壁板と第二外壁板とからなる出隅用外壁パネルであって、前記第一外壁板と第二外壁板は、外壁面材と、この外壁面材の裏面に取り付けられた金属板とからなり、この金属板には、対峙する縦材に設けられた突起に係止される通孔が設けられ、この通孔は、下部に設けられた大きな挿入部と、上部に設けられた小さな係止部と、この挿入部と係止部とをなだらかに結ぶガイド部とからなり、この挿入部の横方向の中心が係止部の横方向の中心より出隅部の角から遠い位置にあり、前記外壁面材には、金属板の通孔に重なる位置に穴が設けられているので、請求項１記載の発明と同様に、第一外壁板の挿入部と第二外壁板の挿入部との間の距離は、第一外壁板の係止部と第二外壁板の係止部との間の距離より長い。
【００２３】
そして、第一外壁パネルや第二外壁パネルに設けられている通孔の係止部は建物の縦材の突起に対峙する位置にある。
従って、第一外壁板に設けられている挿入部の中心と第二外壁板に設けられている挿入部の中心の距離は、第一外壁板の係止部に対峙する縦材の突起と第二外壁板の係止部に対峙する縦材の突起の間の距離より長い。
【００２４】
このようになっているので、第一外壁板と第二外壁板を縦材に屋外の斜め方向、例えば、外壁板の延長線から略４５°傾いた方向から近づけて、第一外壁パネルの挿入部と第二外壁パネルの挿入部を、それぞれ対峙する突起の突起方向より若干上の位置まで移動させることができる。
更に、第一外壁板と第二外壁板を進めると、両方の突起がこの両方の大きな挿入部の中に次第に入って行き、外壁面材の挿入部に重なる位置に設けられている穴の中に深く入って行き、係止部の上方まで進む。
【００２５】
次に、出隅用外壁パネルを下方に移動させると、対峙する突起がそれぞれ第一外壁板と第二外壁パネルのガイド部に導かれて、先端が穴の中に入った状態で、小さな係止部の中に入って行き、出隅用外壁パネルが係止される。
このように、請求項２記載の出隅用外壁パネルを屋外から簡単に建物の縦材に係止させることができる。
【００２６】
第一外壁板と第二外壁板は、外壁面材と、この外壁面材の屋内側に取り付けられた金属板とからなるので、外壁面材の裏面に取り付けられている金属板によって、この外壁面板の屋内側面が補強され、突起によって傷つけられることがなくないし、突起を強固に係止させることができる。
【００２７】
請求項３記載の発明では、金属板の角と反対側の縁部には、建物の構造材に固定するための通孔が設けられているので、請求項２記載の作用の項で説明したようにして、出隅用外壁パネルを建物の縦材に屋外から係止させると、出隅用外壁パネルが動かない状態になる。
【００２８】
このようになっているので、出隅の内側には柱等の構造材があって、屋内側からは取付作業を施工し難いが、屋外側から、この金属板の角と反対側縁部に設けられている通孔を経て、建物の構造材にビスを螺入して、出隅用外壁パネルを簡単に、しかも、強固に取り付けることができ、取付作業が簡単である。
【００２９】
請求項４記載の発明では、前記突起が、基部と、基部より径の大きな頭部とからなり、前記係止部がこの頭部が抜けない大きさになされているので、突起の頭部が係止部の中に入ると、この頭部が係止部に引っ掛かって抜けなくなり、出隅用外壁パネルが外れないように縦材に取り付けられる。
【００３０】
【発明の実施の形態】
次に、本発明の実施の形態を実施例で説明する。
図１〜図５は本発明の一実施例を示すもので、図１はユニット建物の斜視図、図２は建物ユニットを示す一部切欠斜視図、図３は建物ユニットに取り付ける外壁パネルを示すもので、（イ）は表面を上にした状態の斜視図、（ロ）は裏面を上にした状態の斜視図、図４は出隅用外壁パネルを示すもので、（イ）は表面を上にした状態の斜視図、（ロ）は裏面を上にした状態を示す斜視図、（ハ）は（ロ）のＡ−Ａ線における断面図、図５は出隅用外壁パネルの取付構造を示す断面図である。
【００３１】
図１〜図５において、Ｕはユニット建物であり、このユニット建物Ｕは、図１に示すように、基礎９の上に、９個の建物ユニット１が据え付けられて１階が形成され、この１階の建物ユニット１の上に９個の建物ユニット１が据え付けられて２階が形成され、この２階の建物ユニット１の上に屋根パネル２が取り付けられたものである。
【００３２】
このユニット建物Ｕを構成する建物ユニット１は、図２に示すように、長方形の四隅に立設した４本の鋼製四角筒状の柱１１と、この４本の柱１１の下端部を長方形の辺に沿って連結した４本の鋼製断面コ字形長尺体の床梁１２と、この４本の柱１１の上端部を長方形の辺に沿って連結した４本の鋼製断面コ字形長尺体の天井梁１３とからなる骨格を有する。
【００３３】
そして、建物ユニット１は、この骨格の相対する床梁１２に鋼製四角筒状の床小梁１４を差し渡し、この床小梁１４の上に木製の床根太１５を取り付け、この床根太１５の上にパーチクルボードの床面材１６を取り付けて床を形成し、相対する天井梁１３に木製の天井野縁１７を差し渡して取り付け、この天井野縁１７の下面に石膏ボードの天井面材１８を取り付けて天井を形成したものである。
【００３４】
又、外壁を設ける場所の一般部には、床梁１２と天井梁１３とに縦方向の構造材の縦材である間柱３を差し渡し、この間柱３に外壁パネル４や出隅用外壁パネル５と図示しない内壁パネルを取り付け、この外壁パネル４や出隅用外壁パネル５と内壁パネルとの間にグラスウールの図示しない断熱材を取り付けて、外壁を形成する。
【００３５】
又、外壁を設ける場所の出隅部には、出隅にある縦方向の構造材の縦材である柱１１の出隅を構成する２面を覆った状態にして、出隅用外壁パネル５が間柱３に取り付けられている。
尚、間柱３には、外壁パネル４や出隅用外壁パネル５を取り付けるための通孔３５が２個づつ対になって設けられているし、出隅に立設されている柱１１には、図５に示すように、突起１１１が溶接で取り付けられている。
この突起１１１は、基部と、この基部の先端に設けられた基部より径の大きな頭部１１１ａとからなる。
【００３６】
外壁パネル４は、図３に示すように、硬質木片セメント板の外壁面材４１と、この外壁面材本体４１の裏面に取り付けられた鋼製四角筒状のフレーム４２とからなる。
外壁面材本体４１の表面には格子状の凹凸が設けられている。
又、フレーム４２は、外壁面材４１の裏面の周囲に取り付けられた鋼製四角筒状の枠４２１と、両側の相対する枠４２１に差し渡された桟４２２とからなる。そして、この両側の枠４２１には間柱３に取り付けるための通孔４５が設けられている。
【００３７】
出隅用外壁パネル５は、図４に示すように、柱１１の出隅を構成する２面を覆う第一外壁板５−１と第二外壁板５−２ととからなる。
第一外壁板５１１と第二外壁パネル５１２との角度は略９０°である。
出隅用外壁パネル５は、硬質木片セメント板の外壁面材５１と、この外壁面材５１の裏面に取り付けられた金属板である鋼板５２とからなる。
【００３８】
鋼板５２は、図４に示すように、第一外壁板５−１、第二外壁板５−２の裏面に沿うように折曲されたものである。この鋼板５２には、柱１１に設けられた突起１１１に係止される通孔６が設けられている。又、鋼板５２の側縁部には縁部５３が延設され、この縁部５３には、間柱３に取り付けるための通孔５５が設けられている。
【００３９】
通孔６は、図４（ハ）に示すように、下部に設けられた四角形の大きな挿入部６１と、上部に設けられたスリット状の小さな係止部６２と、この挿入部６１と係止部６２とをなだらかに結ぶガイド部６３とからなる。そして、この挿入部６１の横方向の中心は係止部６２の横方向の中心より出隅部の角から遠い位置にある。
尚、このスリット状の係止部６２は突起１１１の基部は通るが頭部１１１ａは通らない幅を有する。
【００４０】
外壁面材５１の表面には格子状の凹凸５１１が設けられ、裏面には、図４（ハ）や図５に示すように、通孔６に重なる位置に穴５１２が設けられている。
そして、この鋼板５２は外壁面材５１の裏面に接着剤で接着されたり、ビス５９を螺入されたりして強固に取り付けられている。
【００４１】
次に、このユニット建物Ｕの施工方法及び作用について説明する。
工場で、建物ユニット１、屋根パネル２を製造する。
この際の建物ユニット１の製造方法について説明する。
図３に示すように、外壁面材４１の裏面にフレーム４２を接着剤で取り付けて更に、外壁面材４１から取付金具４４にビスを螺入して、外壁面材４１の裏面にフレーム４２を強固に取り付けた後に、この外壁面材４１の表面全体を塗装して外壁パネル４を製造する。
【００４２】
又、図４に示すように、第一外壁板５−１と第二外壁板５−２の外壁面材５１の裏面に鋼板５２を接着剤で取り付け、更に、ビス５９を螺入して強固に取り付けて出隅用外壁パネル５を製造する。
一方、図２に示すように、長方形の四隅に柱１１を立設しこの４本の柱１１の下端部を長方形の辺に沿って床梁１２で連結し、この４本の柱１１の上端部を長方形の辺に沿って天井梁１３で連結して、建物ユニット１の骨格を製造する。
【００４３】
そして、この骨格の相対する床梁１２に床小梁１４を差し渡し、この床小梁１４の上に床根太１５を取り付け、この床根太１５の上に床面材１６を取り付けて床を形成し、相対する天井梁１３に天井野縁１７を差し渡して取り付け、この天井野縁１７の下面に天井面材１８を取り付けて天井を形成する。
【００４４】
外壁を設ける場所には、床梁１２と天井梁１３とに間柱３を差し渡し、この間柱３に外壁パネル４や出隅用外壁パネル５を取り付ける。
この際の外壁パネル４や出隅用外壁パネル５の取付方法について、詳細に説明する。
先ず、一般部では、隣合う間柱３に外壁パネル４を押し付け、屋内側から間柱３の通孔３５からフレーム４２通孔４５にリベットを通し、このリベットで、外壁パネル４を建物ユニット１に取り付ける。
【００４５】
出隅部分では、出隅用外壁パネル５の第一外壁板５−１と第二外壁板５−２を柱１１に屋外の斜め方向、例えば、外壁板の延長線から略４５°傾斜した方向から近づけて、第一外壁パネル５−１の挿入部６１と第二外壁パネル５−２の挿入部６１を、それぞれ対峙する突起１１１の突起方向より若干上の位置まで移動させる。
この際、第一外壁板５−１の通孔６の挿入部６１と第二外壁板５−２の通孔６の挿入部６１との間の距離は、第一外壁板５−１の係止部６２と第二外壁板５−２の係止部６２の間の距離より長い。
【００４６】
そして、第一外壁パネル５−１や第二外壁パネル５−２の係止部６２は柱１１の突起１１１に対峙する位置にある。
従って、第一外壁板５−１に設けられている挿入部６１の中心と第二外壁板５−２に設けられている挿入部６１の中心の距離は、第一外壁板５−１の係止部６２に対峙する柱１１の突起１１１と第二外壁板５−２の係止部６２に対峙する柱１１の突起１１１の間の距離より長い。
【００４７】
このようになっているので、第一外壁板５−１と第二外壁板５−２を柱１１に屋外の斜め方向、例えば、外壁板の延長線から略４５°傾斜した方向から近づけて、第一外壁パネル５−１の挿入部６１と第二外壁パネル５−２の挿入部６１を、それぞれ対峙する突起１１１の突起方向より若干上の位置まで移動させることができる。
【００４８】
更に、第一外壁板５−１と第二外壁板５−２を進めると、両方の突起１１がこの両方の大きな挿入部６１の中に次第に入って行き、挿入部６１に重なる位置に設けられている穴５１２の中に入り、係止部６２の上方まで入って行く。
次に、出隅用外壁パネル５を下方に移動させると、挿入部６に対峙する突起１１１がそれぞれ第一外壁板５−１と第二外壁パネル５−２のガイド部６３に導かれて、先端が穴５１２の中に入った状態で、突起１１１の基部が小さな係止部６２の中に入って行く。
すると、頭部１１１ａが係止部６２より大きいので、頭部１１１ａが抜けなくなり、出隅用外壁パネル５が係止される。
【００４９】
この際、第一外壁板５−１と第二外壁板５−２は、外壁面材５１と、この外壁面材５１の屋内側に取り付けられた鋼板５２とからなるので、外壁面材５１の屋内側に取り付けられている鋼板５２によって、この外壁面板５１の屋内側面が補強され、突起１１１によって傷付けられることがない。
このように、この出隅用外壁パネル５は、屋外から簡単に柱１１に係止させることができる。
【００５０】
次に、屋外から、この鋼板５２の角と反対側縁部に設けられている通孔５５を通して、間柱３の通孔３５にビス５８を螺入して、出隅用外壁パネル５を取り付ける。
すると、出隅用外壁パネル５が係止されているので、鋼板５２の通孔５５から間柱３の通孔３５にビスを螺入して、出隅用外壁パネル５を、図５に示すように、柱１１と間柱３に強固に、且つ、簡単に取り付けることができる。
【００５１】
このように、出隅の内側に柱１１等の構造材があって、屋内からは作業し難いが、屋外から出隅用外壁パネル５を簡単に、しかも、強固に取り付けることができ、取付作業が簡単である。
外壁パネル４や出隅用外壁パネル５の間にはガスケット４７を取り付けて、この分を水密にする。
又、屋根パネル２を製造する。
【００５２】
このようにして製造した建物ユニット１、屋根パネル２を施工現場に運搬し、施工現場では、予め、設けられている基礎９の上に、９個の建物ユニット１を据え付けて１階を形成し、この１階の建物ユニット１の上に９個の建物ユニット１を据え付けて２階を形成し、この２階の建物ユニット１の上に屋根パネル２を取り付ける。
その後、その他種々な仕上げを行うと、ユニット建物Ｕが完成する。
【００５３】
【発明の効果】
請求項１記載の発明は、建物の出隅部に立設された縦材の出隅を構成する略直角な２面を覆う略直角に連結されている第一外壁板と第二外壁板とからなる出隅用外壁パネルであって、前記第一外壁板と第二外壁板の裏面には、対峙する縦材に設けられた突起に係止する穴が設けられ、この穴は、下部に設けられた大きな挿入部と、上部に設けられた前記突起がやっと入ることのできる小さな係止部と、この挿入部と係止部とをなだらかに結ぶガイド部とからなり、この挿入部の横方向の中心が係止部の横方向の中心より出隅部の角から遠い位置にあるから、第一外壁板と第二外壁板を縦材に屋外の斜め方向、例えば、外壁板の延長線から略４５°傾斜した方向から近づけて、第一外壁パネルの挿入部と第二外壁パネルの挿入部を、それぞれ対峙する突起の突起方向より若干上の位置まで移動させ、次に、出隅用外壁パネルを下方に移動させると、対峙する突起がそれぞれ第一外壁板と第二外壁パネルのガイド部に導かれて、小さな係止部の中に入って行き、出隅用外壁パネルが係止され、請求項１記載の出隅用外壁パネルを建物の縦材に屋外から簡単に係止させることができる。
【００５４】
請求項２記載の発明は、建物の出隅部に立設された縦材の出隅を構成する略直角な２面を覆う略直角に連結されている第一外壁板と第二外壁板とからなる出隅用外壁パネルであって、前記第一外壁板と第二外壁板は、外壁面材と、この外壁面材の裏面に取り付けられた金属板とからなり、この金属板には、対峙する縦材に設けられた突起に係止される通孔が設けられ、この通孔は、下部に設けられた大きな挿入部と、上部に設けられた前記突起がやっと入ることのできる小さな係止部と、この挿入部と係止部とをなだらかに結ぶガイド部とからなり、この挿入部の横方向の中心が係止部の横方向の中心より出隅部の角から遠い位置にあり、前記外壁面材には、金属板の通孔に対峙する位置に穴が設けられているから、第一外壁板と第二外壁板を縦材に屋外の斜め方向、例えば、外壁板の延長線から略４５°傾斜した方向から近づけて、第一外壁パネルの挿入部と第二外壁パネルの挿入部を、それぞれ対峙する突起の突起方向より若干上の位置まで移動させ、次に、出隅用外壁パネルを下方に移動させると、対峙する突起がそれぞれ第一外壁板と第二外壁パネルのガイド部に導かれて、先端が穴の中に入った状態で、係止部の中に入って行き、出隅用外壁パネルが係止され、請求項２記載の出隅用外壁パネルを建物の縦材に、屋外から簡単に係止させることができる。
【００５５】
又、第一外壁板と第二外壁板は、外壁面材と、この外壁面材の裏面に取り付けられた金属板とからなるので、外壁面材の屋内側に取り付けられている金属板によって、この外壁面板の屋内側面が補強され、突起によって傷つけられることがなくなる。
【００５６】
請求項３記載の発明は、金属板の角と反対側の縁部には、建物の構造材に固定するための通孔が設けられているので、請求項２記載の作用の項で説明したように、出隅用外壁パネルを建物の縦材に係止すると、出隅用外壁パネルが動かないように係止されていて、その後、屋外から、この金属板の角と反対側縁部に設けられている通孔を通して、建物の構造材にビスを螺入することにより、出隅の内側に柱等の構造材があって、屋内側からは作業し難いが、屋外から出隅用外壁パネルを簡単に、しかも、強固に取り付けることができ、取付作業が簡単である。
【００５７】
請求項４記載の発明は、前記突起が、基部と、基部より径の大きな頭部とからなり、前記係止部がこの頭部が抜けない大きさになされているから、突起の頭部が係止部の中に入ると、この頭部が係止部に引っ掛かって抜けなくなり、出隅用外壁パネルが外れないように縦材に取り付けられる。
【図面の簡単な説明】
【図１】本発明の一実施例を示すもので、ユニット建物の斜視図である。
【図２】建物ユニットを示す一部切欠斜視図である。
【図３】建物ユニットに取り付ける外壁パネルを示すもので、（イ）は表面を上にした状態の斜視図、（ロ）は裏面を上にした状態の斜視図である。
【図４】出隅用外壁パネルを示すもので、（イ）は表面を上にした状態の斜視図、（ロ）は裏面を上にした状態を示す斜視図、（ハ）は（ロ）のＡ−Ａ線における断面図である。
【図５】出隅用外壁パネルの取付構造を示す断面図である。
【符号の説明】
Ｕ            ユニット建物
１            建物ユニット
１１          縦材（柱）
１１１        突起
１１１ａ      頭部
２            屋根パネル
３            建物の構造材（間柱）
４            外壁パネル
５            出隅用外壁パネル
５１          外壁面材
５１２        穴
５２          金属板（鋼板）
５３          縁部
５５          通孔
６            通孔
６１          挿入部
６２          係止部
６３          ガイド部
【図１】
0003930356.tif 000002
【図２】
0003930356.tif 000003
【図３】
0003930356.tif 000004
【図４】
0003930356.tif 000005
【図５】
0003930356.tif 000006